(57)【要約】【課題】制振装置を備えた壁パネルに、耐火材としての石膏ボードを容易かつ確実に取り付けることができる制振壁パネルを提供する。【解決手段】建築用の壁パネル３０に形成された開口部３４内に制振装置１が取り付けられ、この制振装置１に木製の下地材４０が固定されており、前記壁パネル３０の表面に該表面を覆うようにして設けられた石膏ボード４５が前記下地材４０に固定されているので、制振装置１を備えた壁パネル３０に、耐火材としての石膏ボード４５を容易かつ確実に取り付けることができる。【選択図】図４
2006219835.tif 000002
【特許請求の範囲】
【請求項１】
建築用の壁パネルに開口部が形成されており、この開口部内に制振装置が取り付けられてなる制振壁パネルであって、
前記制振装置に木製の下地材が固定されており、
前記壁パネルの表面に該表面を覆うようにして設けられた石膏ボードが前記下地材に固定されていることを特徴とする制振壁パネル。
【請求項２】
請求項１に記載の制振壁パネルにおいて、
前記制振装置は、前記開口部内に取り付けられたフレームと、このフレームに対向して設けられた一対の支持部と、この一対の支持部によって支持されて、震動によって一対の支持部が変位した場合に、該一対の支持部間の略中央部を中心として振れるように構成された振り子部材と、この振り子部材の端部と前記フレームとの間に設けられた制振部材とを備えており、
前記下地材は、前記一対の支持部にそれぞれ固定されていることを特徴とする制振壁パネル。
【請求項３】
請求項１または２に記載の制振壁パネルにおいて、
前記石膏ボードの外周部に対向する壁パネルの表面には、耐熱性シートが貼着されており、この耐熱性シートに前記石膏ボードの外周部が隙間無く当接されていることを特徴とする制振壁パネル。
【請求項４】
建物の壁に、請求項１〜３のいずれか一項に記載の制振壁パネルを組み込んだことを特徴とする壁構造。
【請求項５】
請求項４に記載の壁構造において、
前記壁は、複数の壁パネルを連結することによって構成されており、これら複数の壁パネルのうち、すくなくとも一つの壁パネルに代えて、前記制振壁パネルが組み込まれていることを特徴とする壁構造。
【発明の詳細な説明】
【技術分野】
【０００１】
本発明は、制振装置を取り付けてなる制振壁パネルおよび壁構造に関する。
【背景技術】
【０００２】
従来、制振壁パネルの一例として、特許文献１に記載のものが知られている。この特許文献１に記載の制振壁パネルは、構造物の梁又は柱に固定される上枠と、該上枠の下方に空間を介して配置され前記構造物の梁又は柱に固定される下枠と、前記上枠と前記下枠との間に形成された空間に設けられ、一端が前記上枠に連結され、他端が前記下枠に連結されたダンパと、前記上枠と前記下枠との間に設けられ他の部材より柔軟性を有する支柱とからなるものである。
一方、パネル工法に使用される壁パネルとして、矩形枠状の枠体の表裏両面に合板等の面材を取り付けたものが知られている。このような壁パネルは、前記枠体内に必要に応じて補強桟材が縦横に設けられており、さらに、面材の表面には耐火材となる石膏ボードが取り付けられる。
【特許文献１】特開２０００−４５５６３号公報
【発明の開示】
【発明が解決しようとする課題】
【０００３】
ところで、上記のような壁パネルの枠体内に制振装置を組み込むことによって、壁パネルに制振機能を付与することが考えられるが、その場合、耐火材としての石膏ボードを取り付けるのが困難である。
つまり、制振装置を壁パネルの枠体に組み込む場合、壁パネルの中央部に大きな開口部を形成し、この開口部に制振装置を設けることになるので、制振装置は壁パネルの中央部を大きく専有することになる。このため、石膏ボードを壁パネルに取り付ける場合、該石膏ボードを制振装置にも固定する必要があるが、通常、制振装置は鉄等の金属によって構成されているので、この制振装置に石膏ボードを直接固定することは困難である。
【０００４】
本発明は上記事情に鑑みてなされたものであり、制振装置を備えた壁パネルに、耐火材としての石膏ボードを容易かつ確実に取り付けることができる制振壁パネルおよびこの制振壁パネルを有する壁構造を提供することを課題としている。
【課題を解決するための手段】
【０００５】
上記課題を解決するために、請求項１に記載の発明は、例えば図１〜図５に示すように、建築用の壁パネル３０に開口部３４が形成されており、この開口部３４内に制振装置１が取り付けられてなる制振壁パネル３５であって、
前記制振装置１に木製の下地材４０が固定されており、
前記壁パネル３０の表面に該表面を覆うようにして設けられた石膏ボード４５が前記下地材４０に固定されていることを特徴とする。
【０００６】
請求項１に記載の発明によれば、壁パネル３０の開口部３４に取り付けられた制振装置１に木製の下地材４０が固定されており、この下地材４０に石膏ボード４５が固定されているので、制振装置１を備えた壁パネル３０に、耐火材としての石膏ボード４５を容易かつ確実に取り付けることができる。
【０００７】
請求項２に記載の発明は、請求項１に記載の制振壁パネルにおいて、
前記制振装置１は、前記開口部４内に取り付けられたフレーム２と、このフレーム２に対向して設けられた一対の支持部３，３と、この一対の支持部３，３によって支持されて、震動によって一対の支持部３，３が変位した場合に、該一対の支持部３，３間の略中央部を中心として振れるように構成された振り子部材４と、この振り子部材４の端部と前記フレーム２との間に設けられた制振部材（制振ゴム）１６とを備えており、
前記下地材４０，４０は、前記一対の支持部３，３にそれぞれ固定されていることを特徴とする。
【０００８】
ここで、前記フレーム２は例えば矩形枠状に形成され、壁パネル３０に形成された矩形状の開口部３４に取り付けられる。壁パネルとしては、例えばパネル工法やツーバイフォー工法における建築用の壁パネルが挙げられる。なお、パネル工法は、壁や床、屋根といった構成要素を予め工場にてパネル化しておき、施工現場でこれらのパネルを組立てることによって建物を構築する工法である。
また、制振部材１６としては、バネとダンパからなる制振部材、ゴム、オイルダンパー、粘弾性材料などが好適に使用され、さらには摩擦で震動を減衰させるものでもよい。
また、上記のような制振装置１が取り付けられてなる制振壁パネル３５は、新築の建物の壁として組み込んでもよいし、既設の建物の壁をリフォームする際に組み込んでもよい。
【０００９】
請求項２に記載の発明によれば、建物の小さな変形から制振機能を有効に働かせるために、てこ機構を用いて建物の変形を増幅して制振部材に伝達している。
すなわち、建物に地震等の震動によって変形が生じると、この建物を構成する制振壁パネル３５の一対の支持部３，３がフレーム２を介して変位する。一対の支持部３，３が変位することによって、振り子部材４が一対の支持部３，３間の略中央部を中心として振り子のように振れ、この振り子部材４の端部は振れが増幅され、これによって、前記一対の支持部３，３の変位が増幅される。したがって、振り子部材４の端部とフレーム２との間に設けられている制振部材（制振ゴム１６）の変形を増幅できるので、建物の小さな変形から制振機能を有効に働かせることができる。
また、制振部材１６の変形速度も建物の変形速度より増幅することができるため、エネルギー吸収性能が変形速度に比例する制振部材（例えば粘弾性材料など）を用いる場合には、より効率的にエネルギーを吸収でき、大きな減衰力を発揮できる。
また、制振装置１が取り付けられた制振壁パネル３５は、予め工場等で製造しておくことができるので、現場ではこの制振壁パネル３５を設置することによって、建物に制振構造を容易に導入することができ、現場での施工が簡単となる。
さらに、制振壁パネル３５は建物の所望の位置に設置できるので、地震の際にもっとも揺れるような箇所に制振壁パネル３５を設置でき、よって、制振構造を容易かつ確実にしかも効果的に建物に導入できる。
また、下地材４０，４０が、一対の支持部３，３にそれぞれ固定されているので、石膏ボード４５を安定的に固定できる。
【００１０】
請求項３に記載の発明は、請求項１または２に記載の制振壁パネルにおいて、
前記石膏ボード４５の外周部に対向する壁パネル３０の表面には、耐熱性シート４６が貼着されており、この耐熱性シート４６に前記石膏ボード４５の外周部が隙間無く当接されていることを特徴とする。
前記耐熱性シート４５としては、例えば耐熱性の不織布等が挙げられる。
【００１１】
請求項３に記載の発明によれば、壁パネル３０の表面に貼着された耐熱性シート４６に石膏ボードの外周部が隙間無く当接されているので、石膏ボード４５と壁パネル３０とを縁切りした状態とすることができる。
したがって、石膏ボード４５は制振装置１にのみ固定された状態となり、地震等の際にはこの制振装置１に追従して動き、壁パネル３０によって動きを規制されることがないので、地震等の際に石膏ボード４５が破損したり、石膏ボード４５に亀裂が入るのを防止できる。また、石膏ボード４５と壁パネル３０とは縁切りされているが、石膏ボード４５と壁パネル３０との間からの火の侵入は耐熱性シート４６によって防止できる。
【００１２】
請求項４に記載の発明は、例えば図６に示すように、建物の壁４９に、請求項１〜３のいずれか一項に記載の制振壁パネル３５を組み込んだことを特徴とする壁構造である。
【００１３】
前記壁４９は、壁パネルを複数連結してなるものでもよいし、ツーバイフォー工法における壁でもよく、さらに軸組み構造による壁であってもよい。
また、制振壁パネル３５を組み込む場合、壁の一部を取り除いて、その部分に制振壁パネル３５を組み込んでもよいし、壁の表面の一部に制振壁パネル３５を取り付けるようにして組み込んでもよい。
【００１４】
請求項４に記載の発明によれば、制振機能を有する壁４９を容易に構築できるとともに、制振装置１を備えた壁パネル３０に、耐火材としての石膏ボード４５を容易かつ確実に取り付けることができる。
【００１５】
請求項５に記載の発明は、請求項４に記載の壁構造において、
前記壁４９は、複数の壁パネル５０を連結することによって構成されており、これら複数の壁パネル５０のうち、すくなくとも一つの壁パネル５０に代えて、前記制振壁パネル３５が組み込まれていることを特徴とする。
【００１６】
請求項５に記載の発明によれば、制振壁パネル３５が組み込まれた壁４９をパネル工法によって容易に構築することができる。
【発明の効果】
【００１７】
本発明によれば、壁パネルの開口部内に取り付けられた制振装置に木製の下地材が固定されており、壁パネルの表面に該表面を覆うようにして設けられた石膏ボードが前記下地材に固定されているので、制振装置を備えた壁パネルに、耐火材としての石膏ボードを容易かつ確実に取り付けることができる。
また、石膏ボードの外周部に対向する壁パネルの表面には、耐熱性シートが貼着されており、この耐熱性シートに前記石膏ボードの外周部が隙間無く当接されているので、石膏ボードは制振装置にのみ固定された状態となり、地震等の際にはこの制振装置に追従して動くので、地震等の際に石膏ボードが破損したり、石膏ボードに亀裂が入るのを防止できるとともに、石膏ボードと壁パネルとの間からの火の侵入を耐熱性シートによって防止できる。
【発明を実施するための最良の形態】
【００１８】
以下、図面を参照して本発明の実施の形態について説明する。
まず、本発明に係る制振壁パネルについて説明する前に、この制振壁パネルに取り付けられる制振装置について説明する。
図１は制振装置１の一例を示す正面図である。この制振装置１は主に鉄等の金属によって形成されたものであり、フレーム２と、このフレーム２に対向して設けられた一対の支持部３，３と、この支持部３，３によって支持された振り子部材４と、前記フレーム１に取り付けられた制振ボックス５とを備えている。
【００１９】
前記フレーム２は、左右一対の縦フレーム６，６と、上下一対の横フレーム７，７とを矩形枠状に組み立てることによって形成されている。
一対の縦フレーム６，６は平行離間して配置されており、それぞれ帯板状の取付板６ａと、この取付板６ａに直角に立設された帯板状の立設板６ｂとから構成され、断面Ｔ字状に形成されている。
取付板６ａは壁パネルに形成された矩形状の開口部の内周面に取り付けられるものであり、その外側を向く面は前記開口部の内周面に当接固定される固定面６ｃとされている。また、取付板６ａには、図示しないビス孔が上下に所定で２列形成されている。そして、取付板６ａは、その固定面６ｃを開口部の内周面に当接固定したうえで、ビス孔にビスを通して開口部の内周面にねじ込むことによって、該内周面に取り付けられるようになっている。
また、立設板６ｂには、上下に所定間隔で孔が複数形成されている。これら孔は、立設板６ｂに支持部３をボルト６ｄによって取り付ける際に使用される孔である。
【００２０】
また、一対の横フレーム７，７は平行離間して配置されており、それぞれ帯板状の取付板７ａを有している。取付板７ａは壁パネルに形成された矩形状の開口部の内周面取り付けられるものであり、その外側を向く面は前記開口部の内周面に当接固定される固定面７ｃとされている。また、取付板７ａの左右両端部には、図２に示すように、プレート７ｂ，７ｂが厚さ方向に対向して設けられており、これらプレート７ｂ，７ｂの基端部間には、前記縦フレーム６の立設板６ｂの端部が挿入されている。プレート７ｂ，７ｂの基端部と、立設板の端部とにはそれぞれ孔が形成されており、これら孔にボルト７ｄが挿通され、この挿通されたボルト７ｄにナットを螺合して締め付けることによって、縦フレーム６と横フレーム７とが連結されている。
【００２１】
また、前記プレート７ｂ，７ｂの先端部間には、平面視Ｔ字状をなす、固定部材８の基端部が挿入され、溶接等によって固定されている。固定部材８，８の先端部にある固定板８ａ，８ａ間は、設置部９とされており、この設置部９に前記制振ボックス５が設置されるようになっている。固定板８ａ，８ａは、設置部９に設置された制振ボックス５の両端の端板にそれぞれ当接固定されるものであり、それぞれ４つのボルト孔８ｂ・・・が形成されている。
【００２２】
前記縦フレーム６，６の立設板６ｂ，６ｂには、支持部３，３が設けられている。すなわち、支持部３は、厚さ方向に平行離間して配置された２枚の支持板３ａ，３ａを備えている。支持板３ａは、略二等辺三角形状に形成されており、その頂部と対向する辺を上下に向け、かつ、頂部を内側に向けて配置されている。支持板３ａは、略二等辺三角形状に形成されているので、その長手方向（上下方向）中央部が端部側より幅広に形成されている。したがって、２枚の支持板３ａ，３ａで構成された支持部３もその長手方向（上下方向）中央部が端部側より幅広に形成されている。さらに、一対の支持部３，３は、それぞれの頂部を振り子部材４の中央部において対向させて設けられている。
また、一対の支持板３ａ，３ａの上下に沿う辺部間には、前記立設板６ｂが挿入されている。そして、一対の支持板３ａ，３ａの上下に沿う辺部と、前記立設板６ｂとにはそれぞれ孔が上下に所定間隔で複数形形されており、これら孔に、図１に示すように、ボルト６ｄが挿通され、この挿通されたボルト６ｄにナットを螺合して締め付けることによって、立設板６ｄに一対の支持板３ａ，３ａ、すなわち支持部３が設けられている。
【００２３】
前記一対の支持部３，３の長手方向中央部すなわち対向する頂部によって振り子部材４の長手方向中央部が支持されており、この振り子部材４は、震動によって一対の支持部３，３が変位した場合に、該一対の支持部３，３間の略中央部を中心として振れるように構成されている。
すなわち、振り子部材４は板状でかつ略菱形状に形成されており、長手方向を上下に向けて配置されている。振り子部材４の中央部の左半分は、一方の支持部３の支持板３ａ，３ａ間に挟まれており、右半分は他方の支持部３の支持板３ａ，３ａ間に挟まれている。
また、一方の支持部３の支持板３ａ，３ａの頂部には孔が形成されており、他方の支持部３の支持板３ａ，３ａの頂部にも孔が形成されている。一方、振り子部材４の中央部には、左右に離間して孔が形成されており、これら孔のうち左側の孔４ａは左右に長い長孔となっている。
そして、一方の支持部の支持板３ａ，３ａに形成された孔と、振り子部材４の中央部に形成された一方の長孔とには、軸１０が振り子部材４を回転可能とするように、かつ、長穴の長さ方向に摺動可能となるように挿通されている。この軸１０は例えば先端部にねじ部を有するボルト１０で形成されており、このボルト１０は前記孔に挿通され、これら孔に挿通されたボルト１０にはナットが螺合されている。
また、他方の支持部の支持板３ａ，３ａに形成された孔と、振り子部材４の中央部に形成された他方の孔とには、軸１０が振り子部材４を回転可能とするように挿通されている。この軸１０も先端部にねじ部を有するボルト１０で形成されており、このボルト１０は前記孔に挿通され、これら孔に挿通されたボルト１０にはナットが螺合されている。
これによって、振り子部材４は、一対の支持部３，３によって軸１０，１０を介して支持されており、この振り子部材４は、震動によって一対の支持部３，３が変位した場合に、該一対の支持部３，３間の略中央部、言い換えれば、軸１０，１０間の中央部を中心として振れるように構成されている。
【００２４】
また、前記フレーム２には、制振ボックス５が前記振り子部材４の端部に対向して取り付けられている。
すなわち、図２に示すように、制振ボックス５は、フレーム２の横フレーム７に取り付けられる箱状のボックス１５と、このボックス１５内に取り付けられた一対の制振ゴム（制振部材）１６，１６と、これら制振ゴム１６，１６間に挿入されかつ該一対の制振ゴム１６，１６に固着されたプレート１７とを備えている。
ボックス１５は、対向する一対の側板１５ａ，１５ａと、該側板１５ａ，１５ａの両端部間にそれぞれ配置され、該側板１５ａ，１５ａに取り外し可能に対向して取り付けられた一対の端板１５ｂ，１５ｂとから構成されている。一対の側板１５ａ，１５ａの両端部には穴が形成されており、一対の端板１５ｂ，１５ｂの側端面には、ボルト孔が形成されている。そして、これら孔とボルト孔を合わせたうえで、孔にボルト１８を挿入してボルト孔に螺合して締め付けることによって、側板１５ａ，１５ａと端板１５ｂ，１５ｂとがボックス状に組み立てられており、ボルト１８を取り外すことによって、側板１５ａ，１５ａから端板１５ｂ，１５ｂを取り外せるようになっている。
【００２５】
また、側板１５ａ，１５ａの対向する内面にはそれぞれ制振ゴム１６，１６が接着剤等によって固着されている。これら制振ゴム１６，１６間には、プレート１７が挿入されており、該プレート１７の表面は前記制振ゴム１６，１６に固着されている。
プレート１７の一端部（上端部）は、ボックス１５より上方に突出しており、この突出している一端部には、３つの孔が形成されている。
【００２６】
そして、上記のように構成された制振ボックス５は、ボックス１５を横フレーム７に設けられた設置部に設置したうえで、固定板８ａ，８ａをボックス５の端板１５ｂ，１５ｂに当接して、ボルト１９を固定板８ａ，８ａの孔から挿入して端板１５のボルトに螺合して締め付けることによって、設置部に位置決めされて固定されている。
【００２７】
さらに、前記制振ボックス５のプレート１７と前記振り子部材４の端部とが連結されている。すなわちまず、振り子部材４の端部には、孔が３個横方向に所定間隔で形成されている。この振り子部材４の端面は、制振ボックス５のプレート１７の端面に当接されている。そして、振り子部材４の端部とプレート１７の端部とを挟み付けるようにしてプレート２０，２０が設けられている。プレート２０，２０には、その上部と下部とにそれぞれ３つの孔が横方向に所定間隔で形成されており、上部の孔と振り子部材の端部に形成された孔とにボルト２１を挿通し、ナットを螺合して締め付け、下部の孔とプレート１７に形成された孔とにボルト２１を挿通し、ナットを螺合して締め付けることによって、制振ボックス５のプレート１７と振り子部材４の端部とがプレート２０，２０を介して連結されている。
【００２８】
上記のような構成の制振装置１は、例えば図３に示すように、住宅の壁を構成する壁パネル３０に組み込まれている。すなわち、壁パネル３０は、例えば、上部の小壁パネル３１と下部の腰壁パネル３２とを左右の柱材３３，３３で連結してなるものであり、その中央部には、開口部３４が形成されている。この開口部３４は矩形状に形成されており、その内側に制振装置１のフレーム２が挿入されている。
フレーム２を構成する一対の縦フレーム６，６の取付板６ａ，６ａの外側を向く面が固定面６ｃとされており、この固定面６ｃが開口部３４の縦方向に沿う内周面に当接固定され、取付板６ａ，６ａにビスを通して開口部の縦方向に沿う内周面にねじ込むことによって、該縦フレーム６，６が縦方向に沿う内周面に取り付けられている。
同様に、フレーム２を構成する一対の横レーム７，７の取付板７ａ，７ａの外側を向く面が固定面７ｃとされており、この固定面７ｃが開口部３４の横縦方向に沿う内周面に当接固定され、取付板７ａ，７ａにビスを通して開口部の縦方向に沿う内周面にねじ込むことによって、該横フレーム７，７が横方向に沿う内周面に取り付けられている。
このようにして、壁パネル３０の開口部３４に制振装置３０が組み込まれている。
【００２９】
さらに、前記制振装置１の支持部３，３には、図３〜図５に示すように、それぞれ下地材４０が固定されている。下地材４０は木製の角材で形成されたものであり、その長さは支持部３の上下の長さとほぼ等しいか若干短くなっている。下地材４０は壁パネル３０の両表面側にそれぞれ２本ずつ、合計４本が固定されている。
下地材４０を支持部３の表面に固定する場合、図５に示すように、下地材４０に裏面に両面接着テープ４１を、下地材４０の長手方向に断続的に貼着するとともに、隣り合う両面接着テープ４１，４１間に露出している下地材４０の裏面に接着剤４２を塗布しておき、これら両面接着テープ４１と接着剤４２が設けられた下地材４０を支持部３０の表面に当接して押付けることによって、固定する。このようにして、木製の下地材４０が、金属製（鉄製）の支持部３の表面に強固に固定されている。また、下地材４０は、その表面が壁パネル３０の表面とほぼ面一か若干突出するようにして、支持部３の表面に固定されている。
なお、下地材４０を支持部３に固定する場合は、両面接着テープ４１のみを下地材４０にその全長に亙って貼り付けて、下地材４０を支持部３の表面に押付けることによって、両面接着テープ４１によって固定してもよい。
【００３０】
また、壁パネル３０の両表面には、それぞれ耐火材である石膏ボード４５が壁パネル３０の表面を略覆うようにして取り付けられている。この石膏ボード４５は矩形状にものであり、その上下の長さは壁パネル３０の上下の長さとほぼ等しく、石膏ボード４５の左右の長さは壁パネル３０より若干小さくなっている。
石膏ボード４５は以下のようにして壁パネル３０の表面に取り付けられている。すなわち、石膏ボード４５の外周部に対向する壁パネル３０の表面には、耐熱性シート４６が貼着されている。この耐熱性シート４６は耐熱性不織布であり、帯状に形成されている。そして、この帯状の耐熱性シート４６は、石膏ボード４５の外周部に沿うようにして、壁パネル３０の両表面にそれぞれ接着剤によって貼着されている。
前記石膏ボード４５は、その外周部を前記耐熱性シート４６に合わせるようにして壁パネル３０の表面に配置されたうえで、ビス４７によって前記下地材４０，４０に固定されている。つまり、石膏ボード４５の表面からビス４７を下地材４０，４０までねじ込むことによって、石膏ボード４５が下地材４０，４０に固定されている。この状態において、石膏ボード４５の外周部は前記耐熱性シート４６に押圧されて、隙間無く当接されている。なお、ビス４７は、下地材４０の長手方向に所定間隔で複数配置して、該下地材４０にねじ込まれている。また、石膏ボード４５は壁パネル３５の両表面に同様にしてそれぞれ取り付けられている。
【００３１】
上記のような構成の制振壁パネル３５は、図６に示すように、建物の壁４９に組み込まれている。
壁４９は、複数の壁パネル５０を水平方向に連結することによって構成されており、これら複数の壁パネル５０のうち、一つの壁パネルに代えて、前記制振壁パネル３５が組み込まれている。
制振壁パネル３５の石膏ボード４５は上述したように、下地材４０にビス止めされて固定されるが、その場合、該制振壁パネル３５に隣接する通常の壁パネル５０に取り付けられる石膏ボード５１の幅方向端部は、制振壁パネル３５の端部に位置しており、この端部において、石膏ボード５１と石膏ボード４５とが連結されている。つまり、石膏ボード４５と石膏ボード５１と連結は、制振装置１が設けられた開口部より外側で行われている。
なお、石膏ボード４５の取り付けは、制振壁パネル３５を壁パネル５０，５０間に組み込んだ後に行ってもよいし、組み込む前に行ってもよい。また、石膏ボード５１は、壁パネル５０の両表面にビス止めされて固定されるが、その際、石膏ボード５１の外周部に沿って所定間隔でビス止めする。
【００３２】
上記の実施の形態では、石膏ボード４５を壁パネル３０に固定する場合に、該石膏ボード４５を下地材４０にビス止めすることによって行ったが、これに加えて、図７に示すように、石膏ボード４５の外周部に沿って所定間隔でビス５３を壁パネル３０にねじ込むととともに、小壁パネル３１や腰壁パネル３２にも適宜ビス５３をねじ込んでもよい。
このようにすると、制振装置１に対する石膏ボード４５の追従性は失われるが、石膏ボード４５をより強固に壁パネル３０に固定できる。
また、制振装置１に対する石膏ボード４５の追従性を確保するには、上述したように、壁パネル３９の表面に貼着された耐熱シート４６に石膏ボード４５の外周部を当接するにとどめ石膏ボード４５と壁パネル３０とを縁切りした状態とするのが最も望ましいが、石膏ボード４５の固定強度をもっと確保したい場合は、石膏ボード４５の外周部に仮止め程度にビスをねじ込んでもよい。
【００３３】
上記のような制振壁パネル３５では、まず、この制振壁パネル３５を組み込んだ建物に地震等の横揺れ震動によって変形が生じると、制振壁パネル３５の矩形状のフレーム２が略平行四辺形状に変形する。つまり、フレーム２の横フレーム７，７が左右にずれるようにして移動するとともに、縦フレーム６，６が横方向に傾斜することによって矩形状のフレーム２が略平行四辺形状に変形する。
フレーム２が略平行四辺形状に変形すると、一対の支持部３，３が斜め上下に互いに離間するようにして変位する。
一対の支持部３，３が変位することによって、振り子部材４が一対の支持部３，３間の略中央部を中心として振り子のように振れ、この振り子部材４の端部は振れが増幅され、これによって、前記一対の支持部３，３の変位が増幅される。
そして、振り子部材４の端部と制振ボックス５のプレート１７とが連結されており、この連結プレート１７は制振ゴム１６，１６間に挿入されかつ該一対の制振ゴム１６，１６に固着されているので、この制振ゴム１６，１６の変形を増幅できる。したがって、建物の小さな変形から制振機能を有効に働かせることができる。
また、制振ゴム１６，１６の変形速度も建物の変形速度より増幅することができるため、エネルギー吸収性能が変形速度に比例する粘弾性材料から形成された制振ゴムを用いる場合には、より効率的にエネルギーを吸収でき、大きな減衰力を発揮できる。
【００３４】
上記のような制振装置１を備えた制振壁パネル３５は、例えば、図７に示すように、３枚連続して設けることによって、制振効果を高めることができる。この場合、壁パネル３０を構成する柱材３３は、隣接する壁パネル３０，３０どうしで共通としてもよい。
また、建物を構成する複数の壁パネルのうちの所望の壁パネルを、制振壁パネル３５と交換することによって、制振構造を容易かつ確実にしかも効果的に建物に導入できる。つまり、地震の際にもっとも揺れるような箇所にある壁部分に制振装置を容易に導入できる。
さらに、制振装置１が取り付けられた制振壁パネル３５は、予め工場等で製造しておくことができるので、現場ではこの制振壁パネル３５を設置することによって、建物に制振構造を容易に導入することができ、現場での施工が簡単となる。
【００３５】
また、制振ボックス１５が振り子部材４に対向して横フレーム７に取り付けられているので、振り子部材４と制振ボックス１５のプレート１７とを容易に連結できる。
さらに、制振ボックス１５を別途製造しておき、この制振ボックス１５を横フレーム７に取り付けることができるので、制振装置１の組立てを簡単に行える。
また、ボックス１５から突出しているプレート１７の一端部が振り子部材４の端部に連結されているので、振り子部材４の端部をボックス１５内の制振ゴム１６に直接固着しないでも、制振ゴム１６の機能を振り子部材４に作用させることができる。振り子部材４の端部をボックス１５内の制振ゴム１６に直接固着するのは手間がかかる作業となるが、ボックス１５から突出しているプレート１７の一端部に、振り子部材４の端部を連結するのは容易な作業となる。
【００３６】
加えて、制振ボックス１５を構成する一対の側板１５ａから一対の端板１５ｂを取り外すことによって、側板１５ａの内面に容易に制振ゴム１６を固着でき、この状態で一対の側板１５ａ，１５ａ間にプレート１７を制振ゴム１６，１６に対向させて配置したうえで、一対の側板１５ａ，１５ａの端部間に端板１５ｂ，１５ｂを配置して該端板１５ｂ，１５ｂを側板１５ａ，１５ａに取り付けることによって、制振ゴム１６，１６でプレート１７を挟み付け、該プレート１７に制振ゴム１６，１６を固着できる。また、ボックス１５には底板がないため、その分、重量を軽減できる。
【００３７】
また、横フレーム７に設置部９が設けられているので、この設置部９に制振ボックス５を安定的に設置することができ、また、この設置された制振ボックス５の両端の端板１５ｂ，１５ｂに固定板８ａ，８ａを当接固定することによって、フレーム１に制振ボックス５を容易かつ確実に取り付けることができる。
さらに、フレーム２の外周面に固定面６ｃ，７ｃが形成されているので、この固定面６ｃ，７ｃを壁パネルの開口部３４の内周面に当接して固定することによって、フレーム２を壁パネルに容易かつ確実に取り付けることができる。
【００３８】
また、振り子部材４の長手方向中央部が一対の支持部３，３の長手方向中央部によって支持されているので、振り子部材４と支持部３，３とにはその長手方向中央部に荷重が集中するが、振り子部材４は、その長手方向中央部が端部側より幅広に形成されており、支持部材３，３は、その長手方向中央部が端部側より幅広に形成されているので、それらの部分に荷重が集中しても十分耐え得るものとなるとともに、端部側は中央部より幅狭であるので、その分、振り子部材４と支持部３，３の材料軽減を図ることができる。
また、振り子部材４が略菱形状に形成されており、その中央部を境として対称的となるので、振り子部材４が、一対の支持部３，３間の略中央部を中心として振れる際のバランスがよくなる。
さらに、略二等辺三角形状に形成された一対の支持部３，３の頂部が振り子部材４の中央部において対向させて設けられているので、該頂部によって、振り子部材４の中央部を確実に支持できる。
また、一対の支持部３，３の頂部に、振り子部材４の中央部２箇所がそれぞれ支持されているので、この振り子部材４を、一対の支持部３，３間の略中央部を中心として振れるように構成することができる。
【００３９】
また、振り子部材４の中央部の右半分は一方の支持部３の一対の支持板３ａ，３ａ間に挟まれており、左半分は他方の支持部３の一対の支持板３ａ，３ａ間に挟まれているので、振り子部材４が、一対の支持部３，３間の略中央部を中心として振れる際に、該振り子部材４の中央部を一対の支持板３ａ，３ａによって振れ方向に案内することができる。よって、振り子部材４の振れをスムーズにすることができる。
加えて、振り子部材４の中央部に形成された一対の孔にそれぞれ挿入された軸１０，１０によって該振り子部材４を支持しており、これら軸１０，１０は一対の支持部３，３のそれぞれに設けられているので、振り子部材４を一対の支持部３，３によって該一対の支持部３，３間の略中央部を中心として振れるように構成することができるとともに、振り子部材４の振れがスムーズなものとなる。
さらに、一対の支持部３，３が変位することによって、振り子部材４が一対の支持部３，３間の略中央部を中心として振り子のように振れる際に、一対の支持部３，３にそれぞれ設けられている軸１０，１０間の距離が若干が増減するが、これら軸１０，１０が挿入されている一対の孔のうち、左側の孔は長孔４ａとなっているので、この長孔４ａによって前記軸１０，１０間の距離の増減を吸収して、振り子部材４をスムーズに振れさすことができる。
【００４０】
また、壁パネル３０の開口部に取り付けられた制振装置１の支持部３，３に木製の下地材４０，４０が固定されており、この下地材４０，４０に石膏ボード４５が固定されているので、制振装置１を備えた壁パネル３０に、耐火材としての石膏ボード４５を容易かつ確実に取り付けることができる。
さらに、壁パネル３０の表面に貼着された耐熱シート４６に石膏ボード４５の外周部が隙間無く当接されているので、石膏ボード４５と壁パネル３０とを縁切りした状態とすることができる。
したがって、石膏ボード４５は制振装置１の支持部３，３にのみ固定された状態となり、地震等の際にはこの制振装置１の支持部３，３に追従して動き、壁パネル３０によって動きを規制されることがないので、地震等の際に石膏ボード４５が破損したり、石膏ボード４５に亀裂が入るのを防止できる。また、石膏ボード４５と壁パネル３０とは縁切りされているが、石膏ボード４５と壁パネル３０との間からの火の侵入は耐熱性シート４６によって防止できる。
また、壁４９は、複数の壁パネル５０を連結することによって構成されており、これら複数の壁パネル５０のうち、一つの壁パネル５０に代えて、制振壁パネル３５が組み込まれているので、制振壁パネル３５が組み込まれた壁をパネル工法によって容易に構築することができる。
【図面の簡単な説明】
【００４１】
【図１】本発明に係る制振壁パネルに取り付けられる制振装置の一例を示すもので、その正面図である。
【図２】同、制振ボックスと振り子部材との連結部を示す斜視図である。
【図３】本発明に係る制振壁パネルを示すもので、石膏ボードを取り付けていない状態を示す正面図である。
【図４】同、石膏ボードを取り付けた状態を示す正面図である。
【図５】図４におけるＡ−Ａ線視断面図である。
【図６】本発明にかかる壁構造の一例を示す平断面図である。
【図７】本発明にかかる壁構造の他の例を示す正面図である。
【符号の説明】
【００４２】
１  制振装置
２  フレーム
３  支持部
４  振り子部材
５  制振ボックス
１６  制振ゴム
３０  壁パネル
３４  開口部
３５  制振壁パネル
４０  下地材
４５  石膏ボード
４６  耐熱性シート
４９  壁
【図１】
2006219835.tif 000003
【図２】
2006219835.tif 000004
【図３】
2006219835.tif 000005
【図４】
2006219835.tif 000006
【図５】
2006219835.tif 000007
【図６】
2006219835.tif 000008
【図７】
2006219835.tif 000009